(57)【要約】【課題】太陽光のエネルギーを発電及び蓄熱に有効利用し得るとともに、機体の自動洗い、省エネ効果を有する太陽光発電及び蓄熱装置を提供すること。【解決手段】機体、貯湯槽及び散水機構を含み、機体は太陽光のエネルギーを電力に切り替える太陽光パネル、太陽光パネルの下方に結合され太陽光の熱エネルギーを吸収する集熱板、及び集熱板の下方に形成した水槽を有し、貯湯槽は貯水保温のため該機体の水槽に接続し、散水機構は機体を洗うため該機体上に設けられる。【選択図】図４
0003147961.tif 000002
【実用新案登録請求の範囲】
【請求項１】
太陽光のエネルギーを電力に切り替える太陽光パネル、前記太陽光パネルの下方に結合され太陽光の熱エネルギーを吸収する集熱板、及び前記集熱板の熱エネルギーを吸収するため前記集熱板の下方に形成された水槽を有する機体と、
貯水保温のため前記機体の水槽に接続された貯湯槽と、
前記機体を洗うため前記機体上に設けられた散水機構とを含む太陽光発電及び蓄熱装置。
【請求項２】
前記太陽光パネルは、ガラスカバー及びソーラーパネルからなることを特徴とする請求項１に記載の太陽光発電及び蓄熱装置。
【請求項３】
前記ソーラーパネルの材質は、単結晶シリコン電池、多結晶シリコン電池、アモルファスシリコン電池のうち何れか１つであることを特徴とする請求項２に記載の太陽光発電及び蓄熱装置。
【請求項４】
前記太陽光パネルの材質は、単結晶シリコン電池、多結晶シリコン電池、アモルファスシリコン電池のうち何れか１つであることを特徴とする請求項１に記載の太陽光発電及び蓄熱装置。
【請求項５】
前記集熱板は熱伝導金属であることを特徴とする請求項１に記載の太陽光発電及び蓄熱装置。
【請求項６】
前記水槽は給水口、排水口及び屈折パイプを有し、前記屈折パイプは前記集熱板の熱エネルギーを吸収し、前記排水口は前記貯湯槽に接続されたことを特徴とする請求項１に記載の太陽光発電及び蓄熱装置。
【請求項７】
前記貯湯槽は、該貯湯槽の加熱を補助するため、さらにヒータに接続されたことを特徴とする請求項１に記載の太陽光発電及び蓄熱装置。
【請求項８】
前記貯湯槽は、お湯を提供するためさらにサイクルシステムに接続されたことを特徴とする請求項１に記載の太陽光発電及び蓄熱装置。
【請求項９】
前記散水機構は、機体を洗うため少なくとも一つの散水孔を設けていることを特徴とする請求項１に記載の太陽光発電及び蓄熱装置。
【請求項１０】
前記散水機構は、さらに、ブラシ片を設けていることを特徴とする請求項９に記載の太陽光発電及び蓄熱装置。
【考案の詳細な説明】
【技術分野】
【０００１】
本考案は、太陽光発電及び蓄熱装置に係り、特に、機体、貯湯槽及び散水機構の組合設計により、発電、集熱及び自動洗い機能を兼備する太陽光発電応用装置に指すものである。
【背景技術】
【０００２】
世界的にエネルギーが益々足りなくなり及び環境汚染のため、生態環境への破壊を進行させている。現在、世界各国は代替エネルギーを積極的に探している。
そのうち、太陽エネルギーについては、環境保全の概念を有し、取り出しきれず、使いきれず、かつ清潔で汚染が生じない代替エネルギーとして知られている。
太陽エネルギーに関する応用技術が続々と研究開発され、ソーラーパネル及びソーラ集熱器が比較的多くの成果を挙げている。
【０００３】
しかし、大体の設計において、単一機能の使用が多い。例えば、太陽エネルギーの熱を利用した家庭用給湯器、温水プール及び太陽エネルギーで料理可能な単一の集熱機能、或いは、ソーラーパネルで光電変換発電を行うものが多い。
ソーラ集熱器またはソーラーパネルは、いずれも極めて大きな面積を使用し、建物全体に対して大きな占有面積を要する。さらに、それぞれ単独での集熱または発電機能のみを有し、現在のマルチ化の要求に符合せず、ほぼ浪費に近いものがある。
一般に、ソーラーパネルまたはソーラ集熱板は、建物の屋上または表面に搭載されているが、ある時間を経過するとその表面には塵埃や葉または鳥の排出物等が付着して、太陽エネルギーの変換効率、または集熱効率に悪影響を及ぼす。
ソーラーパネルを洗浄しようとすると、人力または作業工数が多くかかり、かつ、高い危険性を伴うといった欠点がある。
【０００４】
本考案は前記欠点に鑑みて成されたもので、太陽光のエネルギーを発電及び蓄熱に有効利用し得るようにしたものである。
【考案の開示】
【考案が解決しようとする課題】
【０００５】
本考案の主な目的は、機体、貯湯槽及び散水機構の組合設計により、該機体は太陽光パネルまたは集熱板を有し、該太陽光パネルは、太陽光のエネルギーを電力に切り替えて、該集熱板は太陽光の熱エネルギーを吸収し、該機体が太陽光発電及び蓄熱を有効に利用し、本考案の実用性を向上できる太陽光発電及び蓄熱装置を提供することにある。
【０００６】
本考案の次の目的は、機体、貯湯槽及び散水機構の組合設計により、該機体の集熱板の下方に水槽が形成され、該水槽は該集熱板の熱量を有効に吸収し、該機体の太陽光パネル表面の温度を低下でき、本考案の実用性を向上できる太陽光発電及び蓄熱装置を提供することにある。
【０００７】
本考案の他の目的は、機体、貯湯槽及び散水機構の組合設計により、該水槽内の屈折パイプは、該集熱板の熱量を吸収するため該貯湯槽に接続し、該貯湯槽はサイクルシステムに接続し、ユーザが計画した使用エリア（バスルーム、暖房システム、キッチン、プール等）にお湯を割り当てて供給し、本考案の実用性を向上できる太陽光発電及び蓄熱装置を提供することにある。
【０００８】
本考案の更なる他の目的は、機体、貯湯槽及び散水機構の組合設計により、該機体にさらに散水機構が設けられ、該散水機構は少なくとも一つの散水孔を有し、該機体表面に付着された塵埃や、葉、または鳥の排出物などを洗うことができ、ひいて太陽光パネルの光電変換光効率及び使用寿命を向上し、本考案の便利性及び実用性を向上できる太陽光発電及び蓄熱装置を提供することにある。
【課題を解決するための手段】
【０００９】
前記目的を達成するために、本考案は、機体、貯湯槽及び散水機構を含み、該機体は、太陽光パネル、集熱板及び水槽を有し、該太陽光パネルは太陽光のエネルギーを電力に切り替えて、該集熱板は該太陽光パネルの下方に結合され太陽光の熱エネルギーを吸収し、該集熱板の下方に水槽が形成され、該集熱板の熱エネルギーを吸収し、該貯湯槽は貯水保温のため該機体の水槽に接続し、該散水機構は機体を洗うため該機体上に設けられることによって、全体に太陽エネルギーを有効に利用して同時に発電及び蓄熱、ユーザによる使用エリアの計画配分、機体の自動洗い及び省エネルギーの効果を有するものである。
【００１０】
本考案の他の特徴及び具体的な実施例は、後続の詳しく説明及び図示よりさらに了解できる。
【考案を実施するための最良の形態】
【００１１】
図１〜図４を参照すると、本考案に係る太陽光発電及び蓄熱装置は、以下の構成を含む。
【００１２】
該機体１０は、太陽光パネル１１、集熱板１２及び水槽１３を有する。
該太陽光パネル１１はガラスカバー１１１及びソーラーパネル１１２からなる。
該ソーラーパネル１１２の材質は、単結晶シリコン電池（多結晶シリコン電池またはアモルファスシリコン電池であっても良い）である。
該太陽光パネル１１は太陽光のエネルギーを電力に切り替えるものである。
該集熱板１２は該太陽光パネル１１の下方に結合される。
該集熱板１２は熱伝導金属である。
該集熱板１２は太陽光の熱エネルギーを吸収し、該集熱板１２の下方に水槽１３が形成される。
該水槽１３は給水口１３１、排水口１３２及び屈折パイプ１３３を有する。
該屈折パイプ１３３は該集熱板１２の熱エネルギーを吸収し、該排水口１３２は貯湯槽２０に接続されている。
【００１３】
該貯湯槽２０は、貯水保温のため該水槽１３の排水口１３２に接続している。
該貯湯槽２０は、該貯湯槽２０の加熱を補助するためさらにヒータ４０に接続し、或いは、お湯を提供するためさらにサイクルシステム５０に接続されている。
【００１４】
該散水機構３０は、機体１０を洗うため該機体１０上に設けられ、かつ少なくとも一つの散水孔３１を設ける。
該散水機構３０は、実施の際に、さらに、機体１０を補助して洗うためのブラシ片(図示せず)を設けても良い。
【００１５】
図１〜図３に示すように、本考案に係る太陽光発電及び蓄熱装置は、機体１０、貯湯槽２０及び散水機構３０からなる。
該太陽光パネル１１は、ガラスカバー１１１及びソーラーパネル１１２からなる。
該ソーラーパネル１１２は、太陽光のエネルギーを電力に切り替えて使用できる。
該太陽光パネル１１の下方に該集熱板１２が結合される。
該集熱板１２は熱伝導金属である。
該集熱板１２は太陽光パネル１１による熱エネルギーを吸収できることを特徴とする。
【００１６】
また、該集熱板１２の下方に水槽１３が形成される。
該水槽１３の給水口１３１は、外部からの冷却水源に接続し、該該水槽１３の屈折パイプ１３３内の冷却水は、該集熱板１２の熱エネルギーを吸収し、該太陽光パネル１１の温度を有効に低下でき、かつ、該屈折パイプ１３３内の冷却水を加熱する。
熱対流原理に従って、お湯が上昇、冷却水が沈下し、吸熱した後のお湯が該水槽１３の排水口１３２から排出し、該貯湯槽２０内に蓄積される。
【００１７】
図３を参照すると、該散水機構３０は、機体１０の表面に付着された塵埃や、葉、または鳥の排出物などを洗うため、該機体１０上に設けられかつ少なくとも一つの散水孔３１を設ける。
該散水機構３０は、実施の際に、さらに、機体１０を補助して洗うためのブラシ片(図示せず)を設けても良い。
【００１８】
図４は、本考案の使用状態のブロック図である。
同図を参照すると、曇りまたは夜になると、該ヒータ４０は、該貯湯槽２０が継続的に保温可能になるため、該貯湯槽２０を補助して加熱できる。
使用の際に、該貯湯槽２０はさらにサイクルシステム５０に接続し、ユーザが計画した使用エリア５１（バスルーム、暖房システム、キッチン、プール等）にお湯を割り当てて供給できる。
そのため、本考案では、太陽エネルギーを有効に利用して、同時に発電及び蓄熱して、ユーザによる使用エリアの計画配分、機体１０の自動洗い及び省エネルギーの効果を達成できるから、全体としての便利性及び実用性を向上できる。
【００１９】
以上に開示された構成は、単に本考案の好ましい実施例に過ぎず、本考案の特徴を限定するものではなく、当該分野における通常の知識を有する専門家が本考案の技術分野で、適宜行なう変更や置換も本考案に含まれるべきことは言うまでもない。
【図面の簡単な説明】
【００２０】
【図１】本考案の外観斜視図である。
【図２】本考案の素子分解図である。
【図３】本考案の散水機構の散水を示す図である。
【図４】本考案の使用状態のブロック図である。
【符号の説明】
【００２１】
１０・・・・・・機体
１１・・・・・・太陽光パネル
１２・・・・・・集熱板
１３・・・・・・水槽
１１１・・・・・ガラスカバー
１１２・・・・・ソーラーパネル
１３１・・・・・給水口
１３２・・・・・排水口
１３３・・・・・屈折パイプ
２０・・・・・・貯湯槽
３０・・・・・・散水機構
３１・・・・・・散水孔
４０・・・・・・ヒータ
５０・・・・・・サイクルシステム
５１・・・・・・使用エリア（リビングルーム）
５１・・・・・・使用エリア（暖房システム）
５１・・・・・・使用エリア（キッチン）
５１・・・・・・使用エリア（プール）
【図１】
0003147961.tif 000003
【図２】
0003147961.tif 000004
【図３】
0003147961.tif 000005
【図４】
0003147961.tif 000006